【手続補正書】
【提出日】平成15年8月26日(2003.8.26)
【手続補正１】
【補正対象書類名】明細書
【補正対象項目名】特許請求の範囲
【補正方法】変更
【補正の内容】
【特許請求の範囲】
【請求項１】
外部のデータベースに記憶された各種データのそれぞれを特定するためのデータを含むメッセージデータを、無線通信回線を介して受信する受信手段と、
この受信手段によって受信されたメッセージデータに含まれる前記特定するためのデータに基づいて前記外部のデータベースに接続して、対応するデータをダウンロードするダウンロード手段と、
前記受信手段によって受信された前記特定するためのデータによって特定されるデータとメッセージデータとを対応付けて記憶する記憶手段と、
この記憶手段に記憶されたメッセージデータを読み出す読出手段と、
この読出手段によってメッセージデータが読み出されると、このメッセージデータに対応付けられて記憶された前記特定されるデータに基づいて、前記ダウンロード手段により対応するデータが既にダウンロードされているか否かを判別する判別手段と、
この判別手段による判別結果を、前記読み出されたメッセージデータと共に表示する表示手段と
を備えたことを特徴とする携帯通信端末。
【請求項２】
前記記憶手段は、前記受信された前記特定するためのデータによって特定されるデータとメッセージデータとを対応付けて複数組記憶し、
前記記憶手段に複数記憶されているメッセージデータと、このメッセージデータに対応付けられて記憶されている前記特定されるデータに対応するデータが既にダウンロードされているか否かを判別するための表示情報とをリスト表示するリスト表示手段を
更に備えたことを特徴とする請求項１に記載の携帯通信端末。
【請求項３】
前記記憶手段に記憶されるメッセージデータ、若しくは前記特定されるデータに対応して、この特定されるデータに対応するデータが既にダウンロードされたか否かを示すフラグ情報を記憶するフラグ情報記憶手段を
更に備えたことを特徴とする請求項１または２に記載の携帯通信端末。
【請求項４】
前記ダウンロード手段によりダウンロードされたデータを記憶するダウンロードデータ記憶手段を
更に備えたことを特徴とする請求項１乃至３の何れかに記載の携帯通信端末。
【請求項５】
自端末への呼び出しを検出する検出手段を更に備え、
前記受信手段は、この検出手段による呼び出しに続いて前記特定するためのデータを含むメッセージデータを受信することを特徴とする請求項１乃至４の何れかに記載の携帯通信端末。
【請求項６】
外部のデータベースに通信回線を介して接続し、各種データをダウンロードする携帯通信端末の表示方法であって、
前記外部のデータベースに記憶された各種データのそれぞれを特定するためのデータを含むメッセージデータを、無線通信回線を介して受信し、
その受信されたメッセージデータに含まれる前記特定するためのデータに基づいて前記外部のデータベースに接続して、対応するデータをダウンロードし、
前記受信された前記特定するためのデータによって特定されるデータとメッセージデータとを対応付けて記憶し、
その記憶されたメッセージデータが読み出されると、このメッセージデータに対応付けられて記憶された前記特定されるデータに基づいて、前記対応するデータが既にダウンロードされているか否かを判別し、
その判別結果を、前記読み出されたメッセージデータと共に表示させる
ことを特徴とする携帯通信端末の表示方法。
【手続補正２】
【補正対象書類名】明細書
【補正対象項目名】００１８
【補正方法】変更
【補正の内容】
【００１８】
【課題を解決するための手段】
請求項１記載の発明は、
外部のデータベースに記憶された各種データのそれぞれを特定するためのデータを含むメッセージデータを、無線通信回線を介して受信する受信手段と、
この受信手段によって受信されたメッセージデータに含まれる前記特定するためのデータに基づいて前記外部のデータベースに接続して、対応するデータをダウンロードするダウンロード手段と、
前記受信手段によって受信された前記特定するためのデータによって特定されるデータとメッセージデータとを対応付けて記憶する記憶手段と、
この記憶手段に記憶されたメッセージデータを読み出す読出手段と、
この読出手段によってメッセージデータが読み出されると、このメッセージデータに対応付けられて記憶された前記特定されるデータに基づいて、前記ダウンロード手段により対応するデータが既にダウンロードされているか否かを判別する判別手段と、
この判別手段による判別結果を、前記読み出されたメッセージデータと共に表示する表示手段と、
を備えたことを特徴としている。


【手続補正３】
【補正対象書類名】明細書
【補正対象項目名】００１９
【補正方法】変更
【補正の内容】
【００１９】
この請求項１記載の発明の携帯通信端末によれば、
外部のデータベースに記憶された各種データのそれぞれを特定するためのデータを含むメッセージデータを、無線通信回線を介して受信する受信手段と、この受信手段によって受信されたメッセージデータに含まれる前記特定するためのデータに基づいて前記外部のデータベースに接続して、対応するデータをダウンロードするダウンロード手段と、前記受信手段によって受信された前記特定するためのデータによって特定されるデータとメッセージデータとを対応付けて記憶する記憶手段と、この記憶手段に記憶されたメッセージデータを読み出す読出手段と、この読出手段によってメッセージデータが読み出されると、このメッセージデータに対応付けられて記憶された前記特定されるデータに基づいて、前記ダウンロード手段により対応するデータが既にダウンロードされているか否かを判別する判別手段と、この判別手段による判別結果を、前記読み出されたメッセージデータと共に表示する表示手段と、が備えられている。


【手続補正４】
【補正対象書類名】明細書
【補正対象項目名】００２０
【補正方法】変更
【補正の内容】
【００２０】
したがって、前記読出手段により記憶手段からメッセージデータが読み出された際、このメッセージデータに対応付けられて記憶された前記特定されるデータに対応するデータが既にダウンロードされているか否かが表示されるので、ユーザは受信したメッセージの内容と、対応するデータが既にダウンロードされたか否かを容易に確認できる。


【手続補正５】
【補正対象書類名】明細書
【補正対象項目名】００２１
【補正方法】変更
【補正の内容】
【００２１】
請求項２記載の発明は、請求項１記載の発明において前記記憶手段は、前記受信された前記特定するためのデータによって特定されるデータとメッセージデータとを対応付けて複数組記憶し、
前記記憶手段に複数記憶されているメッセージデータと、このメッセージデータに対応付けられて記憶されている前記特定されるデータに対応するデータが既にダウンロードされているか否かを判別するための表示情報とをリスト表示するリスト表示手段を更に備えたことを特徴としている。


【手続補正６】
【補正対象書類名】明細書
【補正対象項目名】００２２
【補正方法】変更
【補正の内容】
【００２２】
この請求項２記載の発明の携帯通信端末によれば、請求項１記載の発明に加え、前記記憶手段は前記受信された前記特定するためのデータによって特定されるデータとメッセージデータとを対応付けて複数組記憶し、前記記憶手段に複数記憶されているメッセージデータと、このメッセージデータに対応付けられて記憶されている前記特定されるデータに対応するデータが既にダウンロードされているか否かを判別するための表示情報とをリスト表示するリスト表示手段が更に備えられている。


【手続補正７】
【補正対象書類名】明細書
【補正対象項目名】００２３
【補正方法】変更
【補正の内容】
【００２３】
したがって、前記携帯通信端末のユーザーは、受信したメッセージデータのリスト表示の際、このメッセージデータに対応付けられて記憶されている前記特定されるデータに対応するデータが既にダウンロードされているか否かを一度に確認することができる。


【手続補正８】
【補正対象書類名】明細書
【補正対象項目名】００２４
【補正方法】変更
【補正の内容】
【００２４】
請求項３記載の発明は、請求項１または２記載の発明に、
前記記憶手段に記憶されるメッセージデータ、若しくは前記特定されるデータに対応して、この特定されるデータに対応するデータが既にダウンロードされたか否かを示すフラグ情報を記憶するフラグ情報記憶手段を更に備えたことを特徴としている。


【手続補正９】
【補正対象書類名】明細書
【補正対象項目名】００２５
【補正方法】変更
【補正の内容】
【００２５】
この請求項３記載の発明の携帯通信端末によれば、請求項１または２記載の発明に加え、前記記憶手段に記憶されるメッセージデータ、若しくは前記特定されるデータに対応して、この特定されるデータに対応するデータが既にダウンロードされたか否かを示すフラグ情報を記憶するフラグ情報記憶手段が更に備えられる。


【手続補正１０】
【補正対象書類名】明細書
【補正対象項目名】００２６
【補正方法】変更
【補正の内容】
【００２６】
したがって、前記特定されるデータに対応するデータがダウンロード済みか否かをフラグ情報で管理するので、メッセージデータの読み出しの際、直ちにダウンロードされたか否かを表示させることができる。


【手続補正１１】
【補正対象書類名】明細書
【補正対象項目名】００３０
【補正方法】変更
【補正の内容】
【００３０】
請求項５記載の発明は、請求項１乃至４の何れかに記載の発明に、
自端末への呼び出しを検出する検出手段を更に備え、
前記受信手段は、この検出手段による呼び出しに続いて前記特定するためのデータを含むメッセージデータを受信することを特徴としている。


【手続補正１２】
【補正対象書類名】明細書
【補正対象項目名】００３１
【補正方法】変更
【補正の内容】
【００３１】
この請求項５記載の発明の携帯通信端末によれば、請求項１乃至４の何れかに記載の発明に加え、自端末への呼び出しを検出する検出手段が更に備えられ、前記受信手段は、この検出手段による呼び出しに続いて前記特定するためのデータを含むメッセージデータを受信する。


【手続補正１３】
【補正対象書類名】明細書
【補正対象項目名】００３２
【補正方法】変更
【補正の内容】
【００３２】
したがって、ユーザーは呼び出しを確認した後、直ちにメッセージデータと前記特定されるデータを確認することができる。


【手続補正１４】
【補正対象書類名】明細書
【補正対象項目名】００３３
【補正方法】変更
【補正の内容】
【００３３】
請求項６記載の発明は、
外部のデータベースに通信回線を介して接続し、各種データをダウンロードする携帯通信端末の表示方法であって、
前記外部のデータベースに記憶された各種データのそれぞれを特定するためのデータを含むメッセージデータを、無線通信回線を介して受信し、
その受信されたメッセージデータに含まれる前記特定するためのデータに基づいて前記外部のデータベースに接続して、対応するデータをダウンロードし、
前記受信された前記特定するためのデータによって特定されるデータとメッセージデータとを対応付けて記憶し、
その記憶されたメッセージデータが読み出されると、このメッセージデータに対応付けられて記憶された前記特定されるデータに基づいて、前記対応するデータが既にダウンロードされているか否かを判別し、
その判別結果を、前記読み出されたメッセージデータと共に表示させることを特徴としている。


【手続補正１５】
【補正対象書類名】明細書
【補正対象項目名】００３４
【補正方法】変更
【補正の内容】
【００３４】
この請求項６記載の発明の携帯通信端末の表示方法によれば、外部のデータベースに通信回線を介して接続し、各種データをダウンロードする携帯通信端末の表示方法は、前記外部のデータベースに記憶された各種データのそれぞれを特定するためのデータを含むメッセージデータを、無線通信回線を介して受信し、その受信されたメッセージデータに含まれる前記特定するためのデータに基づいて前記外部のデータベースに接続して、対応するデータをダウンロードし、前記受信された前記特定するためのデータによって特定されるデータとメッセージデータとを対応付けて記憶し、その記憶されたメッセージデータが読み出されると、このメッセージデータに対応付けられて記憶された前記特定されるデータに基づいて、前記対応するデータが既にダウンロードされているか否かを判別し、その判別結果を、前記読み出されたメッセージデータと共に表示させる。


【手続補正１６】
【補正対象書類名】明細書
【補正対象項目名】００３５
【補正方法】変更
【補正の内容】
【００３５】
したがって、メモリからメッセージデータが読み出された際、このメッセージデータに対応付けられて記憶された前記特定されるデータに対応するデータが既にダウンロードされているか否かが表示されるので、ユーザは受信したメッセージの内容と、対応するデータが既にダウンロードされたか否かを容易に確認できる。


【手続補正１７】
【補正対象書類名】明細書
【補正対象項目名】０２４７
【補正方法】変更
【補正の内容】
【０２４７】
【発明の効果】
請求項１記載の発明の携帯通信端末によれば、前記読出手段により記憶手段からメッセージデータが読み出された際、このメッセージデータに対応付けられて記憶された前記特定されるデータに対応するデータが既にダウンロードされているか否かが表示されるので、ユーザは受信したメッセージの内容と、対応するデータが既にダウンロードされたか否かを容易に確認できる。


【手続補正１８】
【補正対象書類名】明細書
【補正対象項目名】０２４８
【補正方法】変更
【補正の内容】
【０２４８】
請求項２記載の発明の携帯通信端末によれば、前記携帯通信端末のユーザーは、受信したメッセージデータのリスト表示の際、このメッセージデータに対応付けられて記憶されている前記特定されるデータに対応するデータが既にダウンロードされているか否かを一度に確認することができる。


【手続補正１９】
【補正対象書類名】明細書
【補正対象項目名】０２４９
【補正方法】変更
【補正の内容】
【０２４９】
請求項３記載の発明の携帯通信端末によれば、前記特定されるデータに対応するデータがダウンロード済みか否かをフラグ情報で管理するので、メッセージデータの読み出しの際、直ちにダウンロードされたか否かを表示させることができる。


【手続補正２０】
【補正対象書類名】明細書
【補正対象項目名】０２５１
【補正方法】変更
【補正の内容】
【０２５１】
請求項５記載の発明の携帯通信端末によれば、ユーザーは呼び出しを確認した後、直ちにメッセージデータと前記特定されるデータとを確認することができる。


【手続補正２１】
【補正対象書類名】明細書
【補正対象項目名】０２５２
【補正方法】変更
【補正の内容】
【０２５２】
請求項６記載の発明の携帯通信端末の表示方法によれば、メモリからメッセージデータが読み出された際、このメッセージデータに対応付けられて記憶された前記特定されるデータに対応するデータが既にダウンロードされているか否かが表示されるので、ユーザは受信したメッセージの内容と、対応するデータが既にダウンロードされたか否かを容易に確認できる。